(57)【要約】【課題】土嚢袋など自立しにくい可撓性袋内への袋詰め作業を一人で迅速かつ確実に行うことができ、不使用時にはコンパクトに保管できる補助具を提供すること。【解決手段】ヒンジｈ１，　ｈ２，　ｈ３，　ｈ４を介して連結された前後左右の四壁面１〜４によって上下に開口部を備えた筒体として形成し、対向する前後壁面１，２にはそれらの上部において左右外方向への張出部１１，　１２，　２１，　２２を延設し、かつ、各壁面全体を縦方向に折り曲げ可能に形成する一方、対向する左右壁面３，４の上部には前記前後壁面１，２における張出部１１，　１２，　２１，　２２の形状に対応して上方向に拡がる傾斜面Ｓを形成して、前後各壁面１，２における張出部１１，　１２，　２１，　２２と左右各壁面３，４の上部両側とを係合手段により脱着可能に形成した。【選択図】　　　図１
2004143787.tif 000002
【特許請求の範囲】
【請求項１】
ヒンジを介して連結された前後左右の四壁面によって上下に開口部を備えた筒体として形成されてなり、対向する前後壁面はそれらの上部において左右外方向への張出部が延設され、かつ、各壁面全体が縦方向に折り曲げ可能に形成されており、対向する左右壁面の上部には前記前後壁面における張出部の形状に対応して上方向に拡がる傾斜面が形成されているものであって、前後各壁面における張出部と左右各壁面の上部両側とが係合手段により脱着可能に形成されてなる土嚢袋の袋詰め補助具。
【請求項２】
係合手段が、前後各壁面の張出部に刻設された下側を始端とする略垂直な切り込み溝と、左右各壁面の上部に刻設された上側を始端とする略垂直な切り込み溝とからなるものであって、左右各壁面上部において引き上げ操作部が設けられていることを特徴とする請求項１記載の土嚢袋の袋詰め補助具。
【請求項３】
係合手段が、左右各壁面の張出部に刻設された下側を始端とする略垂直な切り込み溝と、前後各壁面の上部に刻設された上側を始端とする略垂直な切り込み溝とからなるものであって、前後各壁面上部において引き上げ操作部が設けられていることを特徴とする請求項１記載の土嚢袋の袋詰め補助具。
【発明の詳細な説明】
【０００１】
【発明の属する技術分野】
本発明は、土嚢袋内への土・砂等の袋詰め作業をはじめ、生ゴミの袋詰め作業など可撓性のある袋内に様々な物を袋詰めする作業に際して、袋の開口状態を保持しながら、迅速・確実かつ均質な袋詰め作業を可能とするための補助具に関する。
【０００２】
【従来の技術】
土木建築現場や河川等における止水具等として用いられる土嚢袋は、麻や化学繊維等の織布又は不織布からなる可撓性袋であって、上方に開口した袋口から土、砂、石などを適量投入した後に袋口を紐で縛る等して閉塞することにより用いられる。しかるに、やわらかく、自立できない土嚢袋への土砂袋詰め作業は容易ではなく、場合によっては二人一組になって一人が袋口を保持するなど補助しながら袋詰め作業を行わねばならず非効率的であった。とくに河川氾濫や家屋への浸水防止といった緊急時には、できるだけ効率よく迅速に袋詰め作業を行う必要があるので、作業の一部始終を一人で素早く行えるようにすることが望ましい。
【０００３】
こうした事情に鑑み、土嚢袋への土等の袋詰め作業を効率的に行えるよう、従来より種々の補助具が提案されている。例えば、特開平１１−２２７７２９号では、上下が開口した中空錐台からなる保持体と、該保持体の上側開口部に脱着可能な止具とからなり、保持体内に収容した土嚢袋の袋口を外方に折り返しながら保持体の上側開口部周縁に掛けた後、止具で固定するよう形成した土嚢袋保持用具が開示されている。また、特開２００１−２７１３１９号では、長方形状をしたポリオレフィン製シートからなる土嚢袋開口保持具が提案されている。この保持具においても、使用時にはシートを長辺方向に丸めて円筒形状とし、内部に収容した土嚢袋の袋口を上側開口部周縁に折り返して掛止することで、土砂等の袋詰め作業の容易化を図っている。
【０００４】
さらに実用新案登録第３０７９２０８号では、土嚢袋への土砂投入作業をより迅速に行えるように、土嚢袋内に挿入される筒の上部において袋口より大径な受口ホッパーを設けた補助具が提案されている。
【０００５】
【特許文献１】
特開平１１−２２７７２９号公報（特許請求の範囲、図２）
【特許文献２】
特開２００１−２７１３１９号公報（特許請求の範囲、図３）
【特許文献３】
実用新案登録第３０７９２０８号公報（実用新案登録請求の範囲、図１）
【０００６】
【発明が解決しようとする課題】
しかしながら、前記特開平１１−２２７７２９号や実用新案登録第３０７９２０８号の補助具は、いずれも折り畳むことができないので、不使用時においては嵩張ってしまい広い保管スペースが必要となる不都合があった。この点、特開２００１−２７３１９号の補助具は、不使用時においては展開して板状にできるので省スペース化が図られるのであるが、土嚢袋の袋口を折り返して掛止させる準備作業が面倒であり、また、さほど広くない袋口からの土砂投入作業は効率的とは言えなかった。
【０００７】
【課題を解決するための手段】
前記課題解決を図るため、本発明に係る土嚢袋の袋詰め補助具は、ヒンジを介して連結された前後左右の四壁面によって上下に開口部を備えた筒体として形成し、対向する前後壁面にはそれらの上部において左右外方向への張出部を延設し、かつ、各壁面全体を縦方向に折り曲げ可能に形成する一方、対向する左右壁面の上部には前記前後壁面における張出部の形状に対応して上方向に拡がる傾斜面を形成して、前後各壁面における張出部と左右各壁面の上部両側とを係合手段により脱着可能に形成した。
【０００８】
筒体をなす前後左右の四壁面をヒンジで連結しつつ前後の壁面全体を縦方向に折り曲げ可能に形成したので、隣り合う壁面間の係合手段を解除すれば、補助具全体を板状に折り畳むことができる。そして、板状の折り畳み状態から前後壁面の折り曲げ状態を解消し、四壁面を筒状に広げた後に係合手段により四壁面の各上部を結合すると、断面略方形の筒体上部がホッパー状になるのである。
【０００９】
ここで、係合手段としては、前後各壁面の張出部に刻設された下側を始端とする略垂直な切り込み溝と、左右各壁面の上部に刻設された上側を始端とする略垂直な切り込み溝とからなるものを採用することができ、この場合は、左右各壁面上部において引き上げ操作部が設けられる。
【００１０】
他方、係合手段として、左右各壁面の張出部に刻設された下側を始端とする略垂直な切り込み溝と、前後各壁面の上部に刻設された上側を始端とする略垂直な切り込み溝とからなるものを採用した場合には、前後各壁面上部において引き上げ操作部が設けられる。すなわち、土嚢袋内に挿入した状態で土砂等の袋詰め作業を行うことを想定した本発明に係る土嚢袋の袋詰め補助具では、土砂等の投入を終えると土嚢袋から補助具を引き上げて土嚢袋から離脱させる必要がある。そこで、引き上げ操作を容易にするべく、補助具の壁面上部には、係合手段との関係において組み立て状態を保持可能な位置に引き上げ操作部を設けることとした。この引き上げ操作部としては、手を掛けるための長孔や突起などが例示される。
【００１１】
【発明の実施の形態】
以下、図面に基づいて本発明を詳細に説明する。図１は本発明に係る土嚢袋の袋詰め補助具の一例を示した斜視図、図２は同補助具の係合手段を解除して板状に折り畳んだ状態を示す正面図、図３は図２の平面図である。これら図示された例の補助具は、ヒンジｈ１〜ｈ４を介して隣り合う壁面と連結された前壁面１、後壁面２、左壁面３および右壁面４から構成され、上下に開口部を備えた筒体として形成されている。各壁面１〜４は、亜鉛板やアルミ板等の金属板や合成樹脂により形成されるが、耐水性のある厚紙等で形成して使い捨て可能にしてもよい。
【００１２】
対向配置された前壁面１と後壁面２には、各々のヒンジｈ１〜ｈ４より上部において左右外方向への張出部１１，１２，２１，２２が延設されている。本例の補助具における張出部１１，１２，２１，２２は、後述のホッパーとして機能する左右壁面３，４上部に形成される傾斜面を考慮して、略直角三角形をした翼状に突出形成されており、各先端付近において係合手段の一部を構成する切り込み溝１３，２３が刻設されている。
【００１３】
一方、同じく対向配置された左壁面３と右壁面４には、各々のヒンジｈ１〜ｈ４より上部において傾斜面Ｓが形成されている。この傾斜面Ｓは土嚢袋内への土砂投入作業時にはホッパーとして機能するものであり、前記前後壁面１，２における張出部１１，１２，２１，２２の形状に対応して上方向に拡がるよう形成されている。この傾斜面Ｓは、左右壁面３，４を可撓性材料により形成した場合には滑らかな曲線を描くように湾曲形成することもできるが、左右壁面３，４を或る程度硬質な材料により形成した場合には、図２に示されるように数カ所の平行な折り曲げ線３２，３３，３４を設けて、該折り曲げ線３２，３３，３４位置において折り曲げながら形成してもよい。
【００１４】
一方、左右壁面３，４における上部両側にも、係合手段の一部を構成する切り込み溝３１，４１が刻設されている。本例の補助具では、前後各壁面１，２の張出部１１，１２，２１，２２における切り込み溝１３，２３は下側を始端として略垂直方向に刻設したものとし、左右各壁面３，４の上部両側における切り込み溝３１，４１は上側を始端として略垂直方向に刻設したものとして、左右壁面３，４の切り込み溝３１，４１を前後壁面１，２における切り込み溝１３，２３に対して下方向から嵌挿することにより、各壁面１〜４の係合が図られる。したがって、この場合には左右壁面３，４の上部において引き上げ操作部としての長孔３５，４５を穿設しておけば、長孔３５，４５に手を掛けて補助具全体を引き上げても前後左右壁面１〜４の係合状態が解除されることはない。これに対して、切り込み溝の刻設位置を変えて、前後壁面１，２の切り込み溝１３，２３を左右壁面３，４における切り込み溝３１，４１に対して下方向から嵌挿するようにした場合には、長孔などの引き上げ操作部を前後壁面１，２の上部に設ける必要がある。
【００１５】
本発明に係る土嚢袋の袋詰め補助具は、不使用時には板状に折り畳むことができるので、取り扱いや運搬が容易で保管・収納スペースの削減を図ることができる。すなわち、前後壁面１，２には、それぞれの略中央部分に縦方向の折り目１４，２４が設けられており、この折り目１４，２４を介して各壁面全体が縦方向二つに折り曲げ可能に形成されている。したがって、前後壁面１，２と左右壁面３，４との係合手段を解除し、折り目１４，２４によって前後壁面１，２を内側に谷折りながら二つ折りにすると、図３に示されるように左右壁面３，４と重なり合いながら板状になるのである。
【００１６】
そして、土嚢袋の袋詰め補助具として使用する際には、前後左右の壁面１〜４を係合手段により組み合わせ、そのまま図４に示されるように土嚢袋Ｄ内に挿入する。土砂等を投入した後に補助具を引き上げて土嚢袋Ｄから離脱させ、土嚢袋Ｄの袋口を備え付けの紐Ｄ１等で縛って閉塞することにより、袋詰め作業が完了する。
【００１７】
なお、前後左右壁面１〜４の下端は、土嚢袋Ｄを傷つけず、かつ、スムーズな挿入ができるように、両端隅部を丸く切り欠いておくとよい。また、前後左右壁面１〜４のいずれか又は全部の内壁面に目盛りを設けておけば、土嚢袋Ｄへの土砂等投入量の目安とすることができ、均一な量の土砂等が袋詰めされた土嚢袋を得ることができる。
【００１８】
【発明の効果】
本発明に係る土嚢袋の袋詰め補助具では、土嚢袋の内側に挿入するだけで使用でき、煩雑なセット作業が不要である。また、左右壁面の上部がホッパー状になっているので、土嚢袋内への土砂等投入作業が極めて容易かつ効率的に行える利点がある。さらに、所定量の土砂を投入した後には、補助具を引き上げて土嚢袋から離脱させると直ちに土嚢袋の袋口閉塞作業を行えるので、平常時のみならず緊急時においても土嚢袋の袋詰め作業を終始一人で行うことでき、作業の迅速化・省力化に寄することができる。
【００１９】
また、前後左右の壁面の係合を解除し、前後壁面を内側に二つ折りするだけで簡単に全体が板状に折り畳まれるので、取り扱いが容易であり、運搬・収納時の省スペース化も図られる。その一方、前後左右の壁面を筒状に展開し各壁面の上部を係合させるだけで使用可能状態に素早く組み立てることができる。さらに、壁面内側の目盛りを参照しながら土砂を投入することで、常に均一な袋詰めが行われた土嚢袋を得ることができる。そして、以上のような構成とした結果、本発明に係る土嚢袋の袋詰め補助具は、土嚢袋への土砂等袋詰め作業のみならず、家庭におけるゴミ袋への袋詰めなど、可撓性があって自立しにくい袋内に様々な物を詰める作業に使用することができるのである。
【図面の簡単な説明】
【図１】本発明に係る土嚢袋の袋詰め補助具の一例を示した斜視図である。
【図２】同補助具の係合手段を解除して板状に折り畳んだ状態を示す正面図である。
【図３】図２の平面図である。
【図４】本発明に係る土嚢袋の使用状態説明図である。
【符号の説明】
１　　前壁面
２　　後壁面
３　　左壁面
４　　右壁面
１１，１２，２１，２２　　張出部
ｈ１，ｈ２，ｈ３，ｈ４　　ヒンジ
Ｓ　　傾斜面
【図１】
2004143787.tif 000003
【図２】
2004143787.tif 000004
【図３】
2004143787.tif 000005
【図４】
2004143787.tif 000006